(57)【要約】【課題】歯科治療において、無影灯から照射される光を患者の口の開閉に応じて変化させ、口を閉じている時は、光が患者の目に入らないようにして、患者に不快感を与えないようにする。【解決手段】歯科用無影灯１０に患者の顔を認識するカメラ２０を具備し、該カメラ２０にて患者の口の開閉を認識し、開の時は無影灯１０を点灯し、閉の時は消灯し或いは照射光を弱くする。カメラ２０にて、患者の目の位置、口の位置を確認し、口を閉じている時は、口の部分に光を照射し、目の位置に光が照射されないようにする。【選択図】図１
2011254960.tif 000002
【特許請求の範囲】
【請求項１】
歯科用無影灯に患者の顔を認識するカメラを具備し、該カメラにて患者の口の開閉を認識し、開の時は無影灯を点灯し、閉の時は消灯し或いは照射光を弱くすることを特徴とする歯科用無影灯。
【請求項２】
歯科用無影灯に患者の顔を撮影するカメラを有し、かつ、前記歯科用無影灯の光源の前方に透光性の光拡散板及び調光フィルムを具備し、
前記カメラにて患者の口の開閉を認識し、開の時は前記調光フィルムの光透過率を大きくし、閉の時は前記調光フィルムの光透過率を低くすることを特徴とする歯科用無影灯。
【請求項３】
前記カメラによって患者の口の位置及び目の位置を認識し、口の位置を照明する前記調光フィルムの光透過率を高くし、目の位置を照射する前記調光フィルムの光透過率を低くしたことを特徴とする請求項２に記載の歯科用無影灯。
【発明の詳細な説明】
【技術分野】
【０００１】
本発明は、歯科治療において、患者の口腔内を照明するのに用いられる歯科用無影灯に関し、より詳細には、無影灯から照射される光が口腔内への照明能力を落とすことなく、患者の目に入らないようにして、術者の診療作業に影響することなく、患者に不快感を与えることの無いようにした歯科用無影灯に関する。
【背景技術】
【０００２】
図４は、本発明が適用される一例としての無影灯を備えた歯科治療ユニットの一例を説明するための要部概略構成図で、該歯科治療ユニットは、治療椅子１，ワークテーブル２，スピットン３，無影灯４，術者用インスツルメントホルダ５，フットスイッチ６，アシスタント用インスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は治療椅子１に座り、頭を安頭台に固定して治療を受ける。術者は治療椅子１を上下動，倒起動，傾斜動等させて、患者を治療しやすい姿勢にして治療を行うが、その際、術者は、無影灯４を用いて治療作業開始前に患者の口腔内を照明して被治療部位の観察を行ったり、治療作業中に作業手元を照明したり、治療作業終了後に治療後の状態を確認する等している。
【発明の概要】
【発明が解決しようとする課題】
【０００３】
上述のように、歯科治療においては、無影灯を用いて患者の口腔内を照明し、口腔内の治療や観察を行っているが、その際、無影灯から照射された光が患者の目に入り、患者に不快感を与える等の問題があった。
【課題を解決するための手段】
【０００４】
上記課題を解決するために、本発明の請求項１の発明は、歯科用無影灯に患者の顔を認識するカメラを具備し、該カメラにて患者の口の開閉を認識し、開の時は無影灯を点灯し、閉の時は消灯し或いは照射光を弱くすることを特徴としたものである。
【０００５】
請求項２の発明は、歯科用無影灯に患者の顔を撮影するカメラを有し、かつ、前記歯科用無影灯の光源の前方に透光性の光拡散板及び調光フィルムを具備し、前記カメラにて患者の口の開閉を認識し、開の時は前記調光フィルムの光透過率を大きくし、閉の時は前記調光フィルムの光透過率を低くすることを特徴としたものである。
【０００６】
請求項３の発明は、請求項２の発明において、前記カメラと顔認識のためのソフトウェア解析装置にて患者の口の位置及び目の位置を認識し、口の位置を照明する前記調光フィルムの光透過率を高くし、目の位置を照射する前記調光フィルムの光透過率を低くしたことを特徴としたものである。
【発明の効果】
【０００７】
本発明によると、患者が口を開いている時のみ、無影灯を点灯し、口を閉じている時は、無影灯を消灯し或いは照明を弱くするようにしたので、術者の治療作業に影響を与えることなく、患者に与える不快をより小さくすることができる。また、患者の顔の大きさ等に応じて、照明パターンを変えるようにし、患者の目の部分を照明する光を遮断し或いは弱くするようにしたので、患者に不快感を与えるようなことはない。
【図面の簡単な説明】
【０００８】
【図１】本発明による歯科用無影灯の一例を示す外観図である。
【図２】本発明による歯科用無影灯の他の例を示す分解斜観図である。
【図３】本発明による歯科用無影灯の更に他の実施例を説明するための要部分解斜視図である。
【図４】本発明が適用される無影灯を具備した歯科治療ユニットの一例を説明するための図である。
【発明を実施するための形態】
【０００９】
図１は、本発明による歯科用無影灯の一実施例を説明するための図で、図中、１０は無影灯で、該無影灯１０は、図４に示した従来の無影灯と同じで、ハロゲンランプ等の光源１１、該光源１１からの光が直接患者に照射されるのを防止する遮光板１２、光源１１からの光を乱反射（散光）して患者の方に向ける湾曲状の反射ミラー１３、透明体のカバー１４等からなり、周知のように、光源１１からの光を反射ミラー１３によって散光させて前方に照射するようにしたものである。２０は該無影灯１０に一体的に設けられ、歯科診療時、患者の顔を撮影するカメラ、３０は該カメラ２０によって撮影された患者の顔を表示するモニタで、該モニタ３０は、必ずしも必要はなく、例えば、ワークテーブル等に設けられているモニタを用いることもできる。
【００１０】
本発明においては、歯科診療時において、術者が無影灯を患者の顔に向け、カメラ２０をオン状態にする（或いは、無影灯が患者の顔と接近したことを検知して該カメラを自動的にオン状態とする）と、カメラ２０は患者の顔を撮影し、モニタ３０に表示する。カメラ２０は患者の口の開閉を認識することができ、患者が口を開いた時は、無影灯１０を点灯し、口を閉じた時は無影灯１０からの照射光を弱くし或いは無影灯１０を消灯する。これによって、術者が患者の口腔内を診療していない時は、患者の目に入る無影灯１０からの光が軽減され、患者の不快感が低減される。
【００１１】
図２は、本発明による無影灯の他の実施例を説明するための図で、図中、１５は光源収納部で、該光源収納部１５には複数の光源１６が略同一の平面内に設けられており、或いは、多数の有機ＥＬからなる光源が平面状に設けられており、これら光源からの光が光源収納部１５の前面に設けられた透光性の光拡散板１７を通して前方に無影光として照射されるようになっている。このような無影灯に対しても、前述のように、カメラ２０によって患者の口の開閉を認識し、患者の口の開閉に応じて光源を点滅することにより、換言すれば、患者が口を閉じている時は光源を消灯して、患者の目に入る光を軽減することができる。
【００１２】
図３は、本発明の他の実施例を説明するための要部分解斜視図で、本実施例は、図２に示した無影灯において、前記光拡散板１７の表面に調光フィルム１８を設け、この調光フィルム１８の光透過率を患者の口の開閉に応じて変化させるようにしたものである。調光フィルム１８は、該調光フィルム１８に印加する電圧をオン・オフすることにより、該調光フィルム１８を透光性にしたり遮光性にしたりすることが可能であり、前述のように、カメラ２０によって患者の口の開閉を認識した時に、光源を点滅させる代わりに、該調光フィルム１８の透光率を変えることにより、患者が口を閉じている時には、無影灯からの光が患者に届かないようにすることができる。
【００１３】
更には、前記調光フィルム１８を、図３に破線にて示すように、横方向にストライプ（短冊）状に延長させ、これらストライプを縦方向に透光率を変えるようにしておくことも可能で、例えば、図示のように、横方向に延長するストライプ１８1、１８2、１８6、１８7の透光率を低く（遮光）し、１８3〜１８5の透光率を高くする（どのストライプの透光率を変化させるかは、カメラ２０と該カメラ２０に付随する顔認識のためのソフトウェア解析装置により患者の顔等の認識を自動的に行う）ことによって、例えば、患者の顔の大きさに合せて透光（又は、遮光）パターンにすることが可能であり、患者の口の位置や大きさに合せて、透光率の高いストライプの位置や数（パターン）を変える。
【００１４】
上述のように、本発明によると、患者の口の開閉に応じて、無影灯から照射される光をオン・オフ（透光・遮光）させるようにしたので、患者が口を開いていない時（口腔内を診療していない時）は、無影灯からの光が患者の目に入ることがなく、患者は不快感を受けることなく診療を受けることができる。
【００１５】
また、患者の顔の大きさ等に応じて、調光フィルムの透光（遮光）パターンを変えることにより、無影灯から照射される光のパターンを変えることができるので、患者の顔の大きさ（子供、大人）に関らず、患者の口部のみを照明し、目部には光を照射しないようにしたので、患者に不快感を与えることなく、歯科治療を行うことができる。
【符号の説明】
【００１６】
１０…無影灯、１１…光源、１２…遮光板、１３…光拡散板（反射ミラー）、１４…透明ガラス、１５…収納部、１６…光源、１７…光散乱板、１８…調光ミラー、２０…カメラ、３０…モニタ。
【図１】
2011254960.tif 000003
【図２】
2011254960.tif 000004
【図３】
2011254960.tif 000005
【図４】
2011254960.tif 000006